(57)【要約】【課題】  バックライト型液晶テレビジョン受像機にもともと備わっているバックライト用光源の光で、外部筐体の開口に臨んでいるジャックを明るく光らせることにより、ユーザがそのジャックの設置位置を容易に知ることができるようにする。【解決手段】  バックライト用光源１３と、内部筐体１１と、配線基板１５と、配線基板１５に搭載されたジャック２０と、外部筐体１６とを有する。ジャック２０が、当該ジャックを貫通する空間スペースＳを有している。光源１３の光をジャック２０の空間スペースＳに導く導光路３０を有する。導光路３０は、配線基板１５及び内部筐体１１のそれぞれに開設された開口の囲繞空間３３，３２を含む。【選択図】        図２
2010226647.tif 000002
【特許請求の範囲】
【請求項１】
液晶セルに背部から光照射するバックライト用光源と、上記光源を収容して前面に上記液晶セルが配備されている内部筐体と、この内部筐体の背部に設置された配線基板と、この配線基板に搭載されたジャックと、上記内部筐体及び上記配線基板の外側に配備されて上記ジャックが臨む開口を備えている外部筐体と、を有するバックライト型液晶テレビジョン受像機において、
上記ジャックが、その相手方コネクタであるプラグの差込み口部と、その差込み口部に差し込まれた上記プラグに対応する電気的接続部品を収容しているボディとを有して、それらの差込み口部の内部空間とボディの内部空間とによって当該ジャックを貫通する空間スペースが形成されていると共に、上記光源の光をジャックの上記空間スペースに導く導光路を有することを特徴とするバックライト型液晶テレビジョン受像機。
【請求項２】
上記導光路に、ジャックの上記空間スペースの軸線の延長部分で上記配線基板及び上記内部筐体のそれぞれに開設された開口の囲繞空間が含まれている請求項１に記載したバックライト型液晶テレビジョン受像機。
【請求項３】
上記内部筐体の内側に、上記光源の光を液晶セルに向けて反射する光学シートが配備されていて、上記導光路に、ジャックの上記空間スペースの軸線の延長部分で上記光学シートに開設された開口の囲繞空間が含まれている請求項２に記載したバックライト型液晶テレビジョン受像機。
【発明の詳細な説明】
【技術分野】
【０００１】
本発明は、バックライト型液晶テレビジョン受像機、特に、リアパネルなどの外部筐体の開口に、外部機器などを接続するためのジャックが臨んでいるバックライト型液晶テレビジョン受像機に関する。
【背景技術】
【０００２】
バックライト型液晶テレビジョン受像機では、液晶セルにバックライト用光源の光が背部から照射されるようになっている。また、従来のバックライト型液晶テレビジョン受像機において、バックライト用光源は、内側に反射シートなどの光学シートが配備されている内部筐体に収容されていて、その光は、液晶セルを照射することだけに使われている。
【０００３】
一方、近時のバックライト型液晶テレビジョン受像機では、画像記録再生装置や画像記憶装置、オーディオビジュアル機器（ＡＶ機器）などの各種の外部機器を接続することができるようになっていて、その接続には、外部機器側のプラグを相手方コネクタとするジャックを採用していることが多い。そして、ジャックに対するプラグの接続箇所が、バックライト型液晶テレビジョン受像機のリアパネルといった外部筐体の背部に定められていると、当該テレビジョン受像機が壁際などに設置されているときなどには、外部筐体の背部が暗かったり狭いスペースしか存在していなかったりすることが多々ある。そのような場合には、ジャックにプラグを接続する際に、ユーザがジャックの位置を視認することが困難になって、プラグを正確にジャックに差し込むことができなくなったりする。
【０００４】
ところで、従来より、ジャック自体を発光させることによって、暗い場所でもジャックの位置確認を容易に行うことができるようにすることが提案されている（たとえば、特許文献１参照）。この特許文献１によって提案されているジャックでは、プラグ挿入孔を形成しているジャックハウジングの筒部を透明あるいは半透明合成樹脂で製作すると共に、その筒部に光ファイバーを埋め込んでその光ファイバーの先端を筒部の前端面に臨ませてある。また、この特許文献１には、光ファイバーに、ランプや発光ダイオードなどの光源から光を供給する、旨の記載がなされている。
【０００５】
また、ケーブルの先端に設けたプラグに、発光ダイオードを光源とする案内灯を取り付けておき、その案内灯の光でアンプに設けられているジャックを照らして、ジャックにプラグを容易に差し込むことができるようにすることも提案されている（たとえば、特許文献２参照）。
【先行技術文献】
【特許文献】
【０００６】
【特許文献１】実開平３−３２３８４号公報
【特許文献２】実用新案登録第３１０３５５２号公報
【発明の概要】
【発明が解決しようとする課題】
【０００７】
しかしながら、特許文献１によって提案されているものでは、ジャックハウジングの筒部を透明あるいは半透明合成樹脂で製作することが要求され、光ファイバーを上記筒部に埋め込んだりすることが要求されるので、汎用的なジャックに代えて、上記要求を満たすジャックを別途調達することが必要になり、それだけコスト高になる。また、特許文献２によって提案されているものは、光源として発光ダイオードが別途必要になり、しかも、プラグ側の案内灯の光でジャックの位置を探し当てることが必要であるので、ジャックを光らせる場合に比べてジャックの位置を探しにくい。
【０００８】
本発明は以上の状況の下でなされたものであり、バックライト型液晶テレビジョン受像機にもともと備わっているバックライト用光源の光で、外部筐体の開口に臨んでいるジャックを明るく光らせることができるような対策を講じることによって、別途光源を調達する必要がなく、しかも、汎用的なジャックであっても、そのジャック自体を光らせてその設置位置を容易に知ることのできるバックライト型液晶テレビジョン受像機を提供することを目的とする。
【課題を解決するための手段】
【０００９】
本発明に係るバックライト型液晶テレビジョン受像機は、液晶セルに背部から光照射するバックライト用光源と、上記光源を収容して前面に上記液晶セルが配備されている内部筐体と、この内部筐体の背部に設置された配線基板と、この配線基板に搭載されたジャックと、上記内部筐体及び上記配線基板の外側に配備されて上記ジャックが臨む開口を備えている外部筐体と、を有する。
【００１０】
そして、  上記ジャックが、その相手方コネクタであるプラグの差込み口部と、その差込み口部に差し込まれた上記プラグに対応する電気的接続部品を収容しているボディとを有して、それらの差込み口部の内部空間とボディの内部空間とによって当該ジャックを貫通する空間スペースが形成されていると共に、上記光源の光をジャックの上記空間スペースに導く導光路を有する。
【００１１】
この構成のバックライト型テレビジョン受像機に用いられているジャックは、市販の汎用的なジャックである。そのため、透明あるいは半透明合成樹脂で製作されたジャックを別途調達することを要しない。また、バックライト用光源の光が導光路を通じてジャックの空間スペースに導かれるので、ユーザは、ジャックの差込み口部から漏れ出る光を目で見てジャックの設置位置を容易に視認することができるようになる。そのため、ジャックに光ファイバーを埋め込んだりする必要性もない。
【００１２】
本発明では、上記導光路に、ジャックの上記空間スペースの軸線の延長部分で上記配線基板及び上記内部筐体のそれぞれに開設された開口の囲繞空間が含まれていることが望ましい。また、上記内部筐体の内側に、上記光源の光を液晶セルに向けて反射する光学シートが配備されているバックライト型テレビジョン受像機では、上記導光路に、ジャックの上記空間スペースの軸線の延長部分で上記光学シートに開設された開口の囲繞空間が含まれていることが望ましい。これらの各発明によれば、配線基板及び内部筐体、さらには光学シートに開口を形成するだけで導光路を形成することができるので、新たに部品を追加する必要がない。
【発明の効果】
【００１３】
以上のように、本発明によれば、バックライト型液晶テレビジョン受像機にもともと備わっているバックライト用光源の光で、外部筐体の開口に臨んでいるジャックを明るく光らせることができるので、別途光源を調達したりジャックに光ファイバーを埋め込んだりする必要がなく、しかも、汎用的なジャックを用いて、そのジャック自体を光らせてその設置位置を容易に知ることのできるバックライト型液晶テレビジョン受像機を提供することが可能になる。
【図面の簡単な説明】
【００１４】
【図１】本発明の実施形態に係るバックライト型液晶テレビジョン受像機の構成を概略で示した縦断側面図である。
【図２】図１のＩＩ部を拡大して示した断面図である。
【図３】汎用的なジャックの概略構成を示した断面図である。
【発明を実施するための形態】
【００１５】
図１は本発明の実施形態に係るバックライト型液晶テレビジョン受像機の構成を概略で示した縦断側面図、図２は図１のＩＩ部を拡大して示した断面図、図３は汎用的なジャックの概略構成を示した断面図である。
【００１６】
図１のバックライト型液晶テレビジョン受像機は、板金製の内部筐体１１の前面に液晶セル１２が取り付けられていて、その内部筐体１１に収容されているバックライト用の線状光源（蛍光管など）１３の光によって、上記液晶セル１２がその背部から光照射されるようになっている。また、内部筐体１１の内側に、光源１３の光を液晶セル１２に向けて反射する光学シート１４が配備されている。
【００１７】
内部筐体１１の背部に、その内部筐体１１にビス止めなどの適宜手段で固着された配線基板１５が設置されていて、その配線基板１５の下部にジャック２０が搭載されている。さらに、内部筐体１１及び配線基板１５の外側に外部筐体１６が配備されていて、この外部筐体１６の背壁の下部に、上記ジャック２０が臨んでいる開口１７が開設されている。外部筐体１６は、一般的にはフロントカバーとリアカバーとを合わせることによって形成されていて、上記開口１７はリアカバーの背壁に設けられている。
【００１８】
上記ジャック２０には、市販の汎用品が採用されている。図３のように、このジャック２０は、相手方コネクタであるプラグＰ（図２参照）が着脱される筒状の差込み口部２１と、差込み口部２１に差し込まれたプラグＰに対応する電気的接続部品、たとえばアース接片や所要極数の電極などの電気的接続部品を収容しているボディ２２とを有している。そして、差込み口部２１の内部空間Ｓ１とボディ２２の内部空間Ｓ２とによって当該ジャック２０を貫通する空間スペースＳが形成されている。なお、ジャック２０は、画像記録再生装置や画像記憶装置、オーディオビジュアル機器（ＡＶ機器）などの各種の外部機器と配線基板１５の回路との間での信号授受のための信号路を形成する。
【００１９】
この実施形態では、バックライト用の光源１３の光をジャック２０の空間スペースＳに導くための導光路３０を有する。図２のように、導光路３０は、ジャック２０の空間スペースＳの軸線Ｌの延長部分に設けられている。すなわち、導光路３０には、光学シート１４に開設された開口の囲繞空間３１と、内部筐体１１に開設された開口の囲繞空間３２と、配線基板１５に開設された開口の囲繞空間３３とが含まれていて、それらの囲繞空間３１，３２，３３は、すべて、上記軸線Ｌの延長部分に設けられた円形の開口によって形成されている。
【００２０】
上記のように、バックライト用の光源１３の光をジャック２０の空間スペースＳに導くための導光路３０が形成されていると、光源１３の光が矢印Ａのように各開口の囲繞空間３１，３２，３３を通過して矢印Ｂのようにジャック２０の空間スペースＳに入り、さらに、その空間スペースＳに入った光がジャック２０の差込み口部２１の内周面２３（図３参照）を照らして後方へ漏れ出る。したがって、暗い場所であっても、狭い場所であっても、ユーザは、ジャック２０の差込み口部２１から漏れ出た光を見てジャック２０の設置位置を容易に知ることができるようになり、プラグＰをそのジャック２０に正確に差し込むことができるようになる。
【００２１】
この実施形態では、導光路３０を、光学シート１４に開設された開口の囲繞空間３１と、内部筐体１１に開設された開口の囲繞空間３２と、配線基板１５に開設された開口の囲繞空間３３とによって直線路として形成してある。しかし、導光路の構成はこれに限定されない。たとえば、透明な樹脂成形体を導光体として、内部筐体１１の光源１３の収容室とジャック２０の空間スペースＳとの間にその導光体を配置したものであってもよい。
【符号の説明】
【００２２】
１１  内部筐体
１２  液晶セル
１３  バックライト用光源
１４  光学シート
１５  配線基板
１６  外部筐体
１７  開口
２０  ジャック
２１  差込み口部
２２  ボディ
３０  導光路
３１，３２，３３  開口の囲繞空間
Ｓ１  差込み口部の内部空間
Ｓ２  ボディの内部空間
Ｓ  空間スペース
【図１】
2010226647.tif 000003
【図２】
2010226647.tif 000004
【図３】
2010226647.tif 000005